(57)【要約】【課題】水洗いした物をその場で干して乾燥させることができる流しスタンドを提供する。【解決手段】流しＡを載置する基台部１の後端から背面ネット２を立設した構成の流しスタンドとする。水洗いした物を背面ネット２に干せば、その場で乾燥させることができる。背面ネット２には水栓柱Ｂの上部が嵌まり込む切欠部２ｄを形成すれば、水性柱Ｂが背面ネット２に当たることがなく、納まりが良い。【選択図】　図１
2004024406.tif 000002
【特許請求の範囲】
【請求項１】
流しを載置する基台部の後端から背面ネットを立設したことを特徴とする流しスタンド。
【請求項２】
背面ネットに、水栓柱の上部が嵌まり込む切欠部を形成したことを特徴とする請求項１に記載の流しスタンド。
【請求項３】
背面ネットが、一辺の長さ２〜１０ｃｍの方形網目を有する金属製ネットである請求項１又は請求項２に記載の流しスタンド。
【請求項４】
基台部に、流しを載置する棚板であって流しの排水管を通す開口部を備えた棚板が取付けられている請求項１ないし請求項３のいずれかに記載の流しスタンド。
【請求項５】
棚板が段階的に高さ調節できるように取付けられている請求項４に記載の流しスタンド。
【発明の詳細な説明】
【０００１】
【発明の属する技術分野】
本発明は、庭先等において流しを載置する流しスタンドに関する。
【０００２】
【従来の技術】
近年、庭先等に流しと水栓柱を設置し、庭の手入れや洗車で汚れた手足、タオル、履物、洗車用具などを洗ったりする家庭が増えてきた。
【０００３】
かかる屋外用の流しは、地面に直接設置する場合もあるが、立ったままの姿勢で楽に水洗作業を行えるように、流しスタンドを設けてその上に流しを載せることにより、地面からある程度の高さに設置する場合が多い。
【０００４】
この流しを載置する流しスタンドには、樹脂製のものと金属パイプ製のものがあるが、いずれも以下のような不便な点があった。
【０００５】
【発明が解決しようとする課題】
即ち、従来の流しスタンドはいずれも、流しを支持するだけか、下に小物が置ける程度のスペースを有するだけであるため、水洗いをしたタオル、履物その他の物を、その場で干して乾燥させることができないという不便な点があった。
【０００６】
本発明は上記の事情に鑑みてなされたものであって、その目的とするところは水洗いした物をその場で干して乾燥させることができる便利な流しスタンドを提供することにある。
【０００７】
【課題を解決するための手段】
上記目的を達成するため、本発明の請求項１に係る流しスタンドは、流しを載置する基台部の後端から背面ネットを立設したことを特徴とするものである。
【０００８】
このような流しスタンドは、その基台部の上に流しが載置される。そして、水洗いした物は背面ネットに直接引掛けたり、フックやハンガーを用いて背面ネットに引掛けることにより、その場で干して乾燥させることができる。
【０００９】
また、本発明の請求項２に係る流しスタンドは、上記請求項１の流しスタンドにおいて、その背面ネットに、水栓柱の上部が嵌まり込む切欠部を形成したことを特徴とするものである。
【００１０】
このような流しスタンドは、水栓柱の上部が背面ネットの切欠部に嵌まり込むため、水栓柱が背面ネットに当たることがなく、納まりが良好である。
【００１１】
更に、本発明の請求項３に係る流しスタンドは、上記請求項１又は２の流しスタンドにおいて、その背面ネットが、一辺の長さ２〜１０ｃｍの方形網目を有する金属製ネットであることを特徴とするものである。
【００１２】
この流しスタンドのように背面ネットが大きい方形網目を有する金属製ネットであると、水洗いした物を直接引掛ける場合でもフックやハンガーを用いて引掛ける場合でも、引掛けやすいという利点があり、また、金属製ネットは強度があるため、水洗いした物を沢山干しても該ネットに変形等を生じる心配はない。
【００１３】
次に、本発明の請求項４に係る流しスタンドは、上記請求項１〜３のいずれかの流しスタンドにおいて、その基台部に、流しを載置する棚板であって流しの排水管を通す開口部を備えた棚板が取付けられていること特徴とするものである。
【００１４】
このような流しスタンドは、棚板の上に流しを安定良く載置でき、棚板の開口部を通じて流しの排水管を配管できるので、配管作業も容易である。
【００１５】
そして、本発明の請求項５に係る流しスタンドは、棚板が段階的に高さ調節できるように取付けられていることを特徴とするものである。
【００１６】
このような流しスタンドは、棚板の高さ調節を行って流しを最適な高さに載置することにより、水洗作業等を一層楽に行えるようになる。
【００１７】
【発明の実施の形態】
以下、図面を参照して本発明の具体的な実施形態を詳述する。
【００１８】
図１は本発明の一実施形態に係る流しスタンドの斜視図、図２は同流しスタンドの分解斜視図である。
【００１９】
この流しスタンドは金属パイプ製の椅子型の流しスタンドであって、図１に示すように、流しＡを載置する基台部１の後端から背面ネット２を立設したものである。
【００２０】
基台部１は、図２に示すように、左右一対のＬ形パイプ１ａ、左右一対の後脚パイプ１ｂ、４本の連結パイプ１ｃ、上下２枚の棚板１ｄ等の主要部品によって組み立てられている。
【００２１】
左右一対のＬ形パイプ１ａは、金属パイプ（外径：２０〜３０ｍｍ、肉厚：０．８〜１．５ｍｍ）をアールをつけて直角に曲げ加工したものであって、該Ｌ形パイプ１ａは、ネジ１ｅで固定された上下２本の連結パイプ１ｃにより連結されている。また、左右一対の後脚パイプ１ｂは、上記の金属パイプを上部の２箇所で「く」字形に曲げ加工したパイプであって、該後脚パイプ１ｂも、ネジ１ｅで固定された上下２本の連結パイプ１ｃにより連結されている。そして、上記Ｌ形パイプ１ａの後端は、接続パーツ１ｆを介して後脚パイプ１ｂの上部にネジ１ｅで固定されており、これによって基台部１のフレームが構成されている。
【００２２】
上記支持パイプ１ａの下端、及び、上記後脚パイプ１ｂの下端には、高さ調節ネジ１ｇがねじ込まれており、この高さ調節ネジ１ｇを回すと、基台部１を地面の起伏にあわせてガタツキなく設置できるようになっている。
【００２３】
また、上下２枚の棚板１ｄは金属製又は合成樹脂製の方形の板であって、該棚板の前後両端には係止縁１ｈが形成されており、また、該棚板の後部中央には、流しＡの排水パイプ（不図示）を通す開口部１ｉが形成されている。これらの棚板１ｄは、前後両端の係止縁１ｈを上記の連結パイプ１ｃに係止させることによって取付けられており、上側の棚板１ｄには流しＡが載置されるようになっている。
【００２４】
棚板１ｄを支える連結パイプ１ｃの固定用ネジ１ｅを挿通する孔１ｊは、上下に一定の間隔をあけて、Ｌ形パイプ１ａ及び後脚パイプ１ｂにそれぞれ複数ずつ穿孔されている。従って、上側の棚板１ｄを支える連結パイプ１ｃの固定用ネジ１ｅを挿通する孔１ｊを選択すれば、上側の棚板１ｄの高さを段階的に調節して流しＡを最適な高さに載置できるようになっている。同様に、下側の棚板１ｄを支える連結パイプ１ｃの固定用ネジ１ｅを挿通する孔１ｊを選択すれば、下側の棚板１ｄの高さも段階的に調節できるようになっている。
【００２５】
一方、上記の背面ネット２は、金属線２ａを縦横に配列して各交点を溶接した頑丈な金網からなるもので、その両側には金属パイプ２ｂ（前述した金属パイプと同じ規格のもの）が取付けられている。そして、この金属パイプ２ｂの下端がパイプ継手２ｃにより上記の後脚パイプ１ｂの上端に接続されて、背面ネット２が基台部１の後端から立設されている。
【００２６】
この背面ネット２の下部中央には、水栓柱Ｂの上部が嵌まり込む切欠部２ｄが形成されており、水栓柱Ｂが背面ネット２に当たることなくうまく納まるようになっている。また、背面ネット両側の金属パイプ２ｂの上端には防水キャップ２ｅが被着されており、金属パイプ２ｂ内部への雨水の侵入が防止されている。
【００２７】
上記の背面ネット２は、流しＡで水洗いした物を直接引掛けたり、フックやハンガーを用いて引掛けることにより、水洗いした物を干すものであるから、頑丈で変形し難く、引掛けやすい大きい網目を有するネットが適しており、例えば、一辺の長さが２〜１０ｃｍの方形網目を有する上記の金網等が好ましく使用される。
【００２８】
以上のような構成の流しスタンドは、高さ調節ネジ１ｇにより地面の起伏にあわせて基台部１がガタツキなく地面に設置され、この基台部１の上側の棚板１ｄの上に流しＡが安定良く載置される。そして、この流しＡの底部からの排水管（不図示）は、棚板１ｄの開口部１ｉを通じて配管され、また、流しＡの背後に立設された水栓柱Ｂの上部は、背面ネット２の切欠部２ｄに嵌まり込んで体裁良く納められる。尚、流しＡは左右のＬ形パイプ１ａの上に載置してもよく、その場合は、Ｌ形パイプ１ａの上面に滑り止めゴム（不図示）等を貼付け、流しＡが横滑りしないように安定させることが望ましい。
【００２９】
上記のように設置、施工された流しスタンドは、その背面ネット２に、流しＡで水洗いした物を直接引掛けたり、フックやハンガーを用いて引掛けることにより、水洗いした物をその場で干して乾燥することができ、また、下側の棚板１ｄには洗剤や植木等の手入れ道具を整理して収納できるので、便利である。
【００３０】
尚、上記の実施形態では、背面ネット２として、縦横に配列した金属線２ａを溶接した金網を使用しているが、これに代えて合成樹脂製の丈夫なネットを使用してもよい。
【００３１】
【発明の効果】
以上の説明から明らかなように、本発明の流しスタンドは、流しで水洗いしたものをその場で背面ネットに干して乾燥させることができるといった効果を奏する。
【００３２】
そして、背面ネットに切欠部を形成した流しスタンドは、水栓柱の上部が背面ネットに当たらないので納まりが良く、また、背面ネットとして、一辺の長さが２〜１０ｃｍの方形網目を有する金属製ネットを使用した流しスタンドは、水洗いした物やフックやハンガーを引掛けやすい上に、強度があるため沢山干しても変形する心配がなく、更に、流しを載置する棚板を段階的に高さ調節できるように基台部に取付けた流しスタンドは、流しを最適な高さに安定良く載置できるといった効果も奏する。
【図面の簡単な説明】
【図１】本発明の一実施形態に係る流しスタンドの斜視図である。
【図２】同流しスタンドの分解斜視図である。
【符号の説明】
１　基台部
１ａ　Ｌ形パイプ
１ｂ　後脚パイプ
１ｃ　連結パイプ
１ｄ　棚板
１ｇ　高さ調節ネジ
２　背面ネット
２ｄ　切欠部
Ａ　流し
Ｂ　水栓柱
【図１】
2004024406.tif 000003
【図２】
2004024406.tif 000004